(57)【要約】【課題】同一周波数を生成する０系及び１系の２系統のシンセサイザ間のアイソレーションが十分とれない構成でも、位相ノイズを抑制した無線送受信機、無線送信機、無線受信機、及び制御方法を提供する。【解決手段】基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成でき、同一周波数を生成する０系及び１系の２系統のシンセサイザ間のアイソレーションが十分とれない構成でも、位相ノイズを抑制することができる。【選択図】図１
2008236519.tif 000002
【特許請求の範囲】
【請求項１】
ダイバーシチ構成の無線送受信機内の０系送信部の変調回路に局部発振信号を供給する送信側０系シンセサイザ部と、前記無線送受信機内の１系送信部の変調回路に局部発振信号を供給する送信側１系シンセサイザ部と、前記無線送受信機内の０系受信部のミキサ回路に局部発振信号を供給する受信側０系シンセサイザ部と、前記無線送受信機内の１系受信部のミキサ回路に局部発振信号を供給する受信側１系シンセサイザ部とを備えた無線送受信機であって、
各系の送信機に基準周波数信号を供給するための送信側基準信号発振部と、０系送信機に対して該送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、
各系の受信機に基準周波数信号を供給するための受信側基準信号発振部と、０系受信機に対して該受信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する受信側０／１位相比較部と、
を備えたことを特徴とする無線送受信機。
【請求項２】
前記送信側０系シンセサイザ部は、前記送信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、
前記送信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、
前記受信側０系シンセサイザ部は、前記受信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、
前記受信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする請求項１記載の無線送受信機。
【請求項３】
ダイバーシチ構成の無線送信機内の０系送信部の変調回路に局部発振信号を供給する送信側０系シンセサイザ部と、前記無線送信機内の１系送信部の変調回路に局部発振信号を供給する送信側１系シンセサイザ部とを備えた無線送信機であって、
各系の送信機に基準周波数信号を供給するための送信側基準信号発振部と、０系送信機に対して該送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、
を備えたことを特徴とする無線送信機。
【請求項４】
前記送信側０系シンセサイザ部は、前記送信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、
前記送信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする請求項３記載の無線送信機。
【請求項５】
ダイバーシチ構成の無線受信機内の０系受信部のミキサ回路に局部発振信号を供給する受信側０系シンセサイザ部と、前記無線受信機内の１系受信部のミキサ回路に局部発振信号を供給する受信側１系シンセサイザ部とを備えた無線受信機であって、
各系の受信機に基準周波数信号を供給するための受信側基準信号発振部と、０系受信機に対して該送信側基準信号発振部からの０系基準周波数信号をオンオフする受信側スイッチ回路と、０系基準信号及び１系基準信号を比較周波数に分周した０系比較周波数信号及び１系比較周波数信号を入力し、比較処理する受信側０／１位相比較部と、
を備えたことを特徴とする無線受信機。
【請求項６】
前記受信側０系シンセサイザ部は、前記受信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、
前記受信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする請求項５記載の無線受信機。
【請求項７】
ダイバーシチ構成の無線送受信機内の０系送信部の変調回路に局部発振信号を供給し、前記無線送受信機内の１系送信部の変調回路に局部発振信号を供給し、前記無線送受信機内の０系受信部のミキサ回路に局部発振信号を供給し、前記無線送受信機内の１系受信部のミキサ回路に局部発振信号を供給する無線送受信機の制御方法であって、
各系の送信機に基準周波数信号を供給し、０系送信機に対して該送信側基準信号発振部からの０系基準周波数信号をオンオフし、０系基準信号及び１系基準信号を比較周波数に分周した０系比較周波数信号及び１系比較周波数信号を入力し、比較処理し、
各系の受信機に基準周波数信号を供給し、０系受信機に対して該受信側基準信号発振部からの０系基準周波数信号をオンオフし、０系基準信号及び１系基準信号を比較周波数に分周した０系比較周波数信号及び１系比較周波数信号を入力し、比較処理することを特徴とする無線送受信機の制御方法。
【請求項８】
ダイバーシチ構成の無線送信機内の０系送信部の変調回路に局部発振信号を供給し、前記無線送信機内の１系送信部の変調回路に局部発振信号を供給する無線送信機の制御方法であって、
各系の送信機に基準周波数信号を供給し、０系送信機に対して該送信側基準信号発振部からの０系基準周波数信号をオンオフし、０系基準信号及び１系基準信号を比較周波数に分周した０系比較周波数信号及び１系比較周波数信号を入力し、比較処理することを特徴とする無線送信機の制御方法。
【請求項９】
ダイバーシチ構成の無線受信機内の０系受信部のミキサ回路に局部発振信号を供給し、前記無線受信機内の１系受信部のミキサ回路に局部発振信号を供給する無線受信機の制御方法であって、
各系の受信機に基準周波数信号を供給し、０系受信機に対して該送信側基準信号発振部からの０系基準周波数信号をオンオフし、０系基準信号及び１系基準信号を比較周波数に分周した０系比較周波数信号及び１系比較周波数信号を入力し、比較処理することを特徴とする無線受信機の制御方法。
【発明の詳細な説明】
【技術分野】
【０００１】
本発明は、無線送受信機、無線送信機、無線受信機、及び制御方法に関する。
【背景技術】
【０００２】
近年、携帯電話機や低電力トランシーバーを含む無線送受信機、無線送信機、ステレオコンポーネントを含む無線受信機の開発が盛んになっている。
図１１は、従来の無線受信機のブロック図の一例である。
同図に示す無線受信機１は、０系受信機２及び１系受信機１２の２系統の受信機から構成されており、それぞれの受信機には０系希望波を受信する０系受信部３及び０系シンセサイザ部５、１系希望波を受信する１系受信部１３及び１系シンセサイザ部１５を備えている。また０系受信部３は、０系シンセサイザ部５からの局部発振信号を用いて希望波周波数を中間周波数に変換する０系ＭＩＸ４、１系受信部１３は、１系シンセサイザ部１５からの局部発振信号を用いて希望波周波数を中間周波数に変換する１系ＭＩＸ１４を備え、０系シンセサイザ部５は０系局部発振周波数を出力するために０系ＶＣＯ６と、０系ループフィルタ７と、０系ＰＬＬ ＩＣ８とで構成されている。
【０００３】
１系シンセサイザ部１５は１系局部発振周波数を出力するために１系ＶＣＯ１６と、１系ループフィルタ１７と、１系ＰＬＬ ＩＣ１８とで構成されている。
【０００４】
同図に示す無線受信機１は、０系シンセサイザ部及び１系シンセサイザ部の２系統のシンセサイザ間で同一周波数を生成する１キャリア受信ダイバーシチ構成の無線送受信機である。
【０００５】
この他、無線受信機には、移動時の感度を安定化するため、主受信信号と副受信信号との位相差を制御して合成出力するスペースダイバーシチ受信機（例えば、特許文献１参照。）が挙げられる。また、無線送受信機として局部発振器とシンセサイザ回路を２系統設け、いずれか一方の局部発振信号によって周波数変換を行うディジタル携帯電話が挙げられる。さらに、無線受信機には感度、安定度、選択度（ラジオの場合）が要求されている他、高ＳＮ比が要求されるものもある。このため、ノイズを検出する技術が要求される（例えば、特許文献３参照）。
【特許文献１】特公平６−４４７３２号公報
【特許文献２】特開平６−１６４４９１号公報
【特許文献３】特開２００５−２１０２９７号公報
【発明の開示】
【発明が解決しようとする課題】
【０００６】
しかしながら、上述した従来技術を用いた場合、特にＷ−ＣＤＭＡ（Wideband Code Division Multiple Access：広帯域符号分割多元接続）方式の送受信機内の１キャリア受信ダイバーシチ構成の無線送受信機同一周波数を生成する０系及び１系の２系統のシンセサイザ間のアイソレーションが十分とれない場合、互いの局部発信信号による干渉による位相ノイズが生じてしまう。
【０００７】
そこで、本発明の目的は、同一周波数を生成する０系及び１系の２系統のシンセサイザ間のアイソレーションが十分とれない構成でも、位相ノイズを抑制した無線送受信機、無線送信機、無線受信機、及び制御方法を提供することにある。
【課題を解決するための手段】
【０００８】
上記課題を解決するため、請求項１記載の発明は、ダイバーシチ構成の無線送受信機内の０系送信部の変調回路に局部発振信号を供給する送信側０系シンセサイザ部と、前記無線送受信機内の１系送信部の変調回路に局部発振信号を供給する送信側１系シンセサイザ部と、前記無線送受信機内の０系受信部のミキサ回路に局部発振信号を供給する受信側０系シンセサイザ部と、前記無線送受信機内の１系受信部のミキサ回路に局部発振信号を供給する受信側１系シンセサイザ部とを備えた無線送受信機であって、各系の送信機に基準周波数信号を供給するための送信側基準信号発振部と、０系送信機に対して該送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、各系の受信機に基準周波数信号を供給するための受信側基準信号発振部と、０系受信機に対して該受信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する受信側０／１位相比較部と、を備えたことを特徴とする。
【０００９】
請求項１記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００１０】
請求項２記載の発明は、請求項１記載の発明において、前記送信側０系シンセサイザ部は、前記送信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、前記送信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、前記受信側０系シンセサイザ部は、前記受信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、前記受信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする。
【００１１】
請求項２記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００１２】
請求項３記載の発明は、ダイバーシチ構成の無線送信機内の０系送信部の変調回路に局部発振信号を供給する送信側０系シンセサイザ部と、前記無線送信機内の１系送信部の変調回路に局部発振信号を供給する送信側１系シンセサイザ部とを備えた無線送信機であって、各系の送信機に基準周波数信号を供給するための送信側基準信号発振部と、０系送信機に対して該送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、を備えたことを特徴とする。
【００１３】
請求項３記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００１４】
請求項４記載の発明は、請求項３記載の発明において、前記送信側０系シンセサイザ部は、前記送信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、前記送信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする。
【００１５】
請求項４記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００１６】
請求項５記載の発明は、ダイバーシチ構成の無線受信機内の０系受信部のミキサ回路に局部発振信号を供給する受信側０系シンセサイザ部と、前記無線受信機内の１系受信部のミキサ回路に局部発振信号を供給する受信側１系シンセサイザ部とを備えた無線受信機であって、各系の受信機に基準周波数信号を供給するための受信側基準信号発振部と、０系受信機に対して該送信側基準信号発振部からの０系基準周波数信号をオンオフする受信側スイッチ回路と、０系基準信号及び１系基準信号を比較周波数に分周した０系比較周波数信号及び１系比較周波数信号を入力し、比較処理する受信側０／１位相比較部と、を備えたことを特徴とする。
【００１７】
請求項５記載の発明によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００１８】
請求項６記載の発明は、請求項５記載の発明において、前記受信側０系シンセサイザ部は、前記受信側スイッチ回路からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備え、前記受信側１系シンセサイザ部は、前記基準周波数発振部からの信号を分周するＲ分周器と、ＶＣＯからの信号を分周するＮ分周器と、該Ｎ分周器及び前記Ｒ分周器からの信号の位相を比較する位相比較器と、該位相比較器からの信号を濾過して前記ＶＣＯに入力するループフィルタとを備えたことを特徴とする。
【００１９】
請求項６記載の発明によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００２０】
請求項７記載の発明は、ダイバーシチ構成の無線送受信機内の０系送信部の変調回路に局部発振信号を供給し、前記無線送受信機内の１系送信部の変調回路に局部発振信号を供給し、前記無線送受信機内の０系受信部のミキサ回路に局部発振信号を供給し、前記無線送受信機内の１系受信部のミキサ回路に局部発振信号を供給する無線送受信方法であって、各系の送信機に基準周波数信号を供給し、０系送信機に対して該送信側基準信号発振部からの０系基準周波数信号をオンオフし、０系基準信号及び１系基準信号を比較周波数に分周した０系比較周波数信号及び１系比較周波数信号を入力し、比較処理し、各系の受信機に基準周波数信号を供給し、０系受信機に対して該受信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００２１】
請求項７記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００２２】
請求項８記載の発明は、ダイバーシチ構成の無線送信機内の０系送信部の変調回路に局部発振信号を供給し、前記無線送信機内の１系送信部の変調回路に局部発振信号を供給する無線送信方法であって、各系の送信機に基準周波数信号を供給し、０系送信機に対して該送信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００２３】
請求項８記載の発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００２４】
請求項９記載の発明は、ダイバーシチ構成の無線受信機内の０系受信部のミキサ回路に局部発振信号を供給し、前記無線受信機内の１系受信部のミキサ回路に局部発振信号を供給する無線受信方法であって、各系の受信機に基準周波数信号を供給し、０系受信機に対して該送信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００２５】
請求項９記載の発明によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【発明の効果】
【００２６】
本発明によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【発明を実施するための最良の形態】
【００２７】
本発明に係る無線送受信機の一実施の形態は、ダイバーシチ構成の無線送受信機内の０系送信部の変調回路に局部発振信号を供給する送信側０系シンセサイザ部と、無線送受信機内の１系送信部の変調回路に局部発振信号を供給する送信側１系シンセサイザ部と、無線送受信機内の０系受信部のミキサ回路に局部発振信号を供給する受信側０系シンセサイザ部と、無線送受信機内の１系受信部のミキサ回路に局部発振信号を供給する受信側１系シンセサイザ部とを備えた無線送受信機であって、各系の送信機に基準周波数信号を供給するための送信側基準信号発振部と、０系送信機に対して送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、各系の受信機に基準周波数信号を供給するための受信側基準信号発振部と、０系受信機に対して受信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する受信側０／１位相比較部と、を備えたことを特徴とする。
【００２８】
ここで、変調回路の種類としては振幅変調回路、周波数変調回路、パルス変調回路のいずれであってもよい。
スイッチ回路は、例えばアナログスイッチが用いられる。ループフィルタは、交流分をカットするフィルタであれば抵抗とコンデンサを用いたラグ型フィルタでもラグ・リード型フィルタでもいずれのフィルタを用いてもよい。
【００２９】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００３０】
ここで、ＶＣＯとは、Voltage Controlled Oscillatorの略語であり、電圧（制御電圧）で発振周波数を制御する発振器である。
【００３１】
本発明に係る無線送受信機の他の実施の形態は、上記構成に加え、送信側０系シンセサイザ部は、送信側スイッチ回路からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備え、送信側１系シンセサイザ部は、基準周波数発振部からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備え、受信側０系シンセサイザ部は、受信側スイッチ回路からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備え、受信側１系シンセサイザ部は、基準周波数発振部からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備えたことを特徴とする。
ここで、Ｎ分周器及びＲ分周器には、カウンタが用いられる。
【００３２】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００３３】
本発明に係る無線送信機の一実施の形態は、ダイバーシチ構成の無線送信機内の０系送信部の変調回路に局部発振信号を供給する送信側０系シンセサイザ部と、無線送信機内の１系送信部の変調回路に局部発振信号を供給する送信側１系シンセサイザ部とを備えた無線送信機であって、各系の送信機に基準周波数信号を供給するための送信側基準信号発振部と、０系送信機に対して送信側基準信号発振部からの０系基準周波数信号をオンオフする送信側スイッチ回路と、０系基準信号及び１系基準信号を比較周波数に分周した０系比較周波数信号及び１系比較周波数信号を入力し、比較処理する送信側０／１位相比較部と、を備えたことを特徴とする。
【００３４】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００３５】
本発明に係る無線送信機の他の実施の形態は、上記構成において、送信側０系シンセサイザ部は、送信側スイッチ回路からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備え、送信側１系シンセサイザ部は、基準周波数発振部からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備えたことを特徴とする。
【００３６】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００３７】
本発明に係る無線受信機の一実施の形態は、ダイバーシチ構成の無線受信機内の０系受信部のミキサ回路に局部発振信号を供給する受信側０系シンセサイザ部と、無線受信機内の１系受信部のミキサ回路に局部発振信号を供給する受信側１系シンセサイザ部とを備えた無線受信機であって、各系の受信機に基準周波数信号を供給するための受信側基準信号発振部と、０系受信機に対して送信側基準信号発振部からの０系基準周波数信号をオンオフする受信側スイッチ回路と、０系基準信号及び１系基準信号を比較周波数に分周した０系比較周波数信号及び１系比較周波数信号を入力し、比較処理する受信側０／１位相比較部と、を備えたことを特徴とする。
【００３８】
上記構成によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００３９】
本発明に係る無線受信機の他の実施の形態は、上記構成において、受信側０系シンセサイザ部は、受信側スイッチ回路からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備え、受信側１系シンセサイザ部は、基準周波数発振部からの信号を分周するＲ分周器と、ＶＣＯからの信号を分周するＮ分周器と、Ｎ分周器及びＲ分周器からの信号の位相を比較する位相比較器と、位相比較器からの信号を濾過してＶＣＯに入力するループフィルタとを備えたことを特徴とする。
【００４０】
上記構成によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００４１】
本発明に係る無線送受信機の制御方法の一実施の形態は、ダイバーシチ構成の無線送受信機内の０系送信部の変調回路に局部発振信号を供給し、無線送受信機内の１系送信部の変調回路に局部発振信号を供給し、無線送受信機内の０系受信部のミキサ回路に局部発振信号を供給し、無線送受信機内の１系受信部のミキサ回路に局部発振信号を供給する無線送受信機の制御方法であって、各系の送信機に基準周波数信号を供給し、０系送信機に対して送信側基準信号発振部からの０系基準周波数信号をオンオフし、０系基準信号及び１系基準信号を比較周波数に分周した０系比較周波数信号及び１系比較周波数信号を入力し、比較処理し、各系の受信機に基準周波数信号を供給し、０系受信機に対して受信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００４２】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。また、ダイバーシチ構成の受信機のシンセサイザ部において、基準周波数発振信号の分周タイミングを制御することで位相制御を行うので、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００４３】
本発明に係る無線送信機の制御方法の一実施の形態は、ダイバーシチ構成の無線送信機内の０系送信部の変調回路に局部発振信号を供給し、前記無線送信機内の１系送信部の変調回路に局部発振信号を供給する無線送信方法であって、各系の送信機に基準周波数信号を供給し、０系送信機に対して該送信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００４４】
上記構成によれば、ダイバーシチ構成の送信部のシンセサイザ部において、基準周波数発振信号の分周タイミングを制御することで位相制御を行うので、一方の送信部におけるシンセサイザ部のＶＣＯ出力が、他方の送信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００４５】
本発明に係る無線受信機の制御方法の一実施の形態は、ダイバーシチ構成の無線受信機内の０系受信部のミキサ回路に局部発振信号を供給し、無線受信機内の１系受信部のミキサ回路に局部発振信号を供給する無線受信方法であって、各系の受信機に基準周波数信号を供給し、０系受信機に対して送信側基準信号発振部からの０系基準周波数信号をオンオフし、０系基準信号及び１系基準信号を比較周波数に分周した０系比較周波数信号及び１系比較周波数信号を入力し、比較処理することを特徴とする。
【００４６】
上記構成によれば、ダイバーシチ構成の受信部のシンセサイザ部において、基準周波数発振信号の分周タイミングを制御することで位相制御を行うので、一方の受信部におけるシンセサイザ部のＶＣＯ出力が、他方の受信部のシンセサイザ部に回りこんだ場合でも、位相比較器でジッタとして影響せず、位相ノイズの劣化が生じない局部発振信号を生成できる。この結果同一周波数を生成する０系及び１系の２系統のシンセサイザ間のアイソレーションが十分とれない構成でも、位相ノイズを抑制することができる。
【００４７】
本発明に係る無線送受信機、無線送信機、無線受信機、無線送受信方法、無線送信方法、及び無線受信方法は、Ｗ−ＣＤＭＡ方式の送受信機内の１キャリア受信ダイバーシチ構成の無線送受信機にて、送信部及び受信部内のミキサ回路に供給するための局部発振信号を生成するシンセサイザ部に関するもので、同一周波数を生成する０系及び１系の２系統のシンセサイザ間のアイソレーションが十分とれない構成でも、互いの局部発信信号による干渉を回避して位相ノイズの劣化を抑制させることができる。
【００４８】
なお、上述した実施の形態は、本発明の好適な実施の形態の一例を示すものであり、本発明はそれに限定されることなく、その要旨を逸脱しない範囲内において、種々変形実施が可能である。
【実施例】
【００４９】
〔実施例の構成の説明〕
図１は、本発明に係る無線受信機の一実施例であるＷＣＤＭＡ方式の無線信号を受信するための無線基地局（図示せず）に実装されるダイバーシチ受信機のブロック図の一例である。
本実施例の無線受信機を、図１を参照して構成を説明する。尚、説明を簡単にするためにベースバンド部については省略されている。
無線受信機としてのダイバーシチ受信機１はダイバーシチゲインを得るため、０系受信機２及び１系受信機１２の２系統の受信機から構成されており、それぞれの受信機２、１２には０系希望波を受信する０系受信部３及び０系シンセサイザ部５、１系希望波を受信する１系受信部１３及び１系シンセサイザ部１５を備えている。
【００５０】
また０系受信部３は、０系シンセサイザ部５からの局部発振信号を用いて希望波周波数を中間周波数に変換する０系ＭＩＸ４、１系受信部１３は、１系シンセサイザ部１５からの局部発振信号を用いて希望波周波数を中間周波数に変換する１系ＭＩＸ１４を備え、０系シンセサイザ部５は０系局部発振周波数を出力するために０系ＶＣＯ６と、０系ループフィルタ７と、０系ＰＬＬ ＩＣ８とで構成されており、１系シンセサイザ部１５は１系局部発振周波数を出力するために１系ＶＣＯ１６と、１系ループフィルタ１７と、１系ＰＬＬ ＩＣ１８とで構成されている。
【００５１】
さらにダイバーシチ受信機１は各系の受信機に基準周波数信号を供給するための基準周波数信号発振部１９と、０系受信機２に対して基準周波数信号発振部１９からの０系基準周波数信号Ｓ６をオンオフする回路であるスイッチ回路９と、０系ＰＬＬ ＩＣ８及び１系ＰＬＬ ＩＣ１８の内部で０系基準周波数信号Ｓ６及び１系基準周波数信号Ｓ１６を比較周波数に分周した０系比較周波数信号Ｓ５、１系比較周波数信号Ｓ１５を入力とし、比較処理する０／１位相比較部１０を備えている。
【００５２】
図２は、本発明に係る無線受信機に用いられるシンセサイザ部の構成図の一例である。
さらには図２に示すとおり、０系シンセサイザ部５の０系ＰＬＬ ＩＣ８は、０系Ｎ分周器３１と、０系位相比較器３２と０系Ｒ分周器３３とを備え、１系シンセサイザ部１５の１系ＰＬＬ ＩＣ１８も同様に、１系Ｎ分周器４１と１系位相比較器４２と１系Ｒ分周器４３とを備えている。
【００５３】
〔実施例の動作の説明〕
本実施例におけるダイバーシチ受信機１の動作について図１〜図５を用いて説明する。
図３は、図１に示した無線受信機における干渉時の各ＰＬＬ出力クロックの位相差を示す図であり、図４は、図１に示した無線受信機における干渉時にスイッチ回路を一度動作させた時の各ＰＬＬ出力クロックの位相差を示す図であり、図５は、図１に示した無線受信機における非干渉時の各ＰＬＬ出力クロックの位相差を示す図である。
尚、図５において、差が小のときは所望波形に非所望波形が混ざりジッタが出る。差が大のときは所望パルスのレベルが非所望パルスより大きいため非所望パルスは問題にならない。
【００５４】
ダイバーシチ受信機１の０系受信部３は、０系アンテナ２０にて受信した希望波を、０系ＭＩＸ４にて０系シンセサイザ部５の０系局部発振信号Ｓ１を使用してダウンコンバートを行っている。他方の１系受信部１３は、１系アンテナ２１にて受信した希望波を、１系ＭＩＸ１４にて１系シンセサイザ部１５の１系局部発振信号Ｓ１１を使用してダウンコンバートを行っている。
【００５５】
なお、本受信機はダイバーシチ構成のため、０系シンセサイザ部５により作り出される０系局部発振信号Ｓ１と、１系シンセサイザ部１５により作り出される１系局部発振信号Ｓ１１とは同一周波数である。また、０系受信機２の０系シンセサイザ部５と１系受信機１２の１系シンセサイザ部１５とは同一の基準周波数信号発振部１９を使用するため、各々のＰＬＬ ＩＣへの信号供給は伝送線路を分岐して使用する構成をとっている。
【００５６】
０系シンセサイザ部５の０系ＰＬＬ ＩＣ８は、０系Ｎ分周器３１にて０系ＶＣＯ６の出力を分周した０系Ｎ分周信号Ｓ４と、Ｒ分周器３３で基準発信信号を分周した０系比較周波数信号Ｓ５とを、０系位相比較器３２にて位相比較を行う。０系位相比較器３２は比較した位相差分をパルス状の信号として出力するため、この信号のパルス成分を０系ループフィルタ７にて０系ＶＣＯ制御電圧信号Ｓ３に変換し、０系ＶＣＯ６にフィードバック制御をかける。そして所望周波数より高い場合は低く、所望周波数より低い場合は高くなるよう随時制御して０系ＶＣＯ６の出力をロックさせ、０系局部発振信号Ｓ１を出力する。同様に１系シンセサイザ部１５も１系ＶＣＯ１６を制御し、所望の周波数にロックさせた１系局部発振信号Ｓ１１を出力する。
【００５７】
〔０系局部発振信号Ｓ１が１系局部発振信号Ｓ１１に干渉しない場合〕
まず０系シンセサイザ部５の０系局部発振信号Ｓ１が１系シンセサイザ部１５の１系局部発振信号Ｓ１１に干渉しない場合について説明する。
０系ＰＬＬ ＩＣ８は、０／１位相比較部１０にて０系Ｒ分周器３３の出力と、１系Ｒ分周器４３の出力とを比較する。０／１位相比較部１０は、基準周波数信号発振部１９からクロックを供給される事で、０系Ｒ分周器３３のパルスがどのタイミングで現れるかを計測する。同様にして１系Ｒ分周器４３のパルスタイミングも計測し、タイミングの時間差を位相差として検出する。
【００５８】
ここで位相差が１８０°±９０°内であれば十分に位相差があるので干渉はしないと判断する。よって０系ＶＣＯ６の出力が、基準周波数信号発振部１９から基準周波数信号をもらうための伝送線路を伝わって１系シンセサイザ部１５に０系ＶＣＯリーク信号Ｓ９として回り込んでも、１系ＶＣＯ１６の出力に影響を与えることはなく１系局部発振信号Ｓ１１の波形品質が保たれ、１系受信機１２の受信品質にも影響を与えない。また、逆に１系ＶＣＯ１６の出力が０系シンセサイザ部５に回りこんでも、０系ＶＣＯ６の出力に影響を与える事はなく、０系受信機２の受信品質も保たれる。
【００５９】
〔０系局部発振信号Ｓ１が１系局部発振信号Ｓ１１に干渉する場合〕
次に０系シンセサイザ部５の０系局部発振信号Ｓ１が、１系シンセサイザ部１５の１系局部発振信号Ｓ１１に干渉する場合について説明する。
０系ＰＬＬ ＩＣ８は、０／１位相比較部１０にて０系Ｒ分周器３３の出力と、１系Ｒ分周器４３の出力を比較する。０／１位相比較部１０は、基準周波数信号発振部１９からクロックの供給を受ける事で、０系Ｒ分周器３３のパルスがどのタイミングで現れるかを計測する。同様にして１系Ｒ分周器４３のパルスタイミングも計測し、タイミングの時間差により位相差を検出する。
ここで図３に示すように位相差が９０°以下であれば位相差が十分ではなく干渉していると判断する。よって図４に示すように、０系Ｒ分周器３３の分周タイミングを変更するために０／１位相比較部１０はスイッチ回路９に対して、基準周波数信号発振部１９からのクロックタイミングごとにスイッチをＯＦＦするよう制御を行う。
０系Ｒ分周器３３に供給される基準周波数信号発振部１９の１クロック分ずれるため、分周タイミングが１クロック分ずれ、０系Ｒ分周器３３の分周出力である０系比較周波数信号Ｓ５の位相がずれて位相が変化する。そして０系Ｒ分周器３３と１系Ｒ分周器４３との位相差が十分に確保される１８０°になるまで０／１位相比較部１０はこのＲ分周期の位相比較動作と、スイッチ回路９のオンオフにて０系Ｒ分周器３３の分周出力である０系比較周波数信号Ｓ５の位相制御とを続ける。これにより位相差が１８０°まで確保されれば、０系ＶＣＯ６の出力である０系ＶＣＯリーク信号Ｓ９が基準周波数信号をもらうための伝送線路を伝わって１系ＰＬＬ  ＩＣ１８に回り込んでも、確実に１系ＶＣＯ１６の出力に影響を与えることはなく、１系局部発振信号Ｓ１１の波形品質が保たれ、１系受信機１２の受信品質にも影響を与えない。また、逆に１系ＶＣＯ１６の出力が０系ＰＬＬ  ＩＣ８に回りこんでも、０系ＶＣＯ６の出力に影響を与える事はなく、０系受信機１２の受信品質も保たれる。
【００６０】
なお、ここではＰＬＬ  ＩＣ等の各回路が形成されたＰｒ板（プリント配線基板）の比誘電率εr＝４．７とし、比透磁率＝１．０としたものであるから、波長短縮率ρ＝１／√（εr・μs）≒０．５となるが、０系ＰＬＬ  ＩＣ８の基準周波数信号入力端子から１系ＰＬＬ  ＩＣ１８の基準周波数信号入力端子までの伝送線路の長さは、ＶＣＯの周波数に対して波長短縮率をかけた波長に合わせた線路長になっており、０系ＶＣＯ６の０系Ｎ分周器３１での位相と、１系にリークした０系ＶＣＯリーク信号Ｓ９の１系Ｎ分周器４１での位相とのタイミングは同じになっている事とする。
【００６１】
〔効果の説明〕
ＰＬＬ ＩＣは小型化が進みＶＣＯを内蔵するモジュールタイプのものがでてきている。この種のＰＬＬ ＩＣを使用すると、小型ゆえに内部のＶＣＯ部とＰＬＬ 部アイソレーション確保が難しいという問題があり、ＶＣＯ出力がＰＬＬ ＩＣの基準発振信号入力端子からリークする現象を避ける事ができない。
【００６２】
１つの受信機内に複数のＰＬＬが存在しそれぞれ局部発振信号を作り出す場合、各ＰＬＬに供給する基準周波数発振信号は同一発信源を使用するのが一般的であり、本発明の実施例も同様に０系シンセサイザ部５と１系シンセサイザ部１５とに基準周波数信号発振部１９による同一の基準周波数信号を供給している。この基準周波数信号は本実施例のように伝送線路を分岐して供給するのが最も単純な構成であるが、この場合、０系ＶＣＯ６の出力は１系シンセサイザ部１５へ、１系ＶＣＯ１６の出力は０系シンセサイザ部５へ、ほぼ減衰することなく回り込み、他方のＰＬＬ  ＩＣ内部に信号が入り込む事になる。
【００６３】
ここで問題となるのは、ダイバーシチ受信機ではそれぞれの系のシンセサイザ部で作る局部発振信号が同一周波数であるという点で、回り込むＶＣＯ出力の位相によっては、被干渉系のシンセサイザにジッタとして影響を与えてしまい、出力しようとしている局部発振信号の位相ノイズを劣化させてしまう。もし０系データＳ３及び１系データS１３の出力タイミングを管理して、０系ＰＬＬ  ＩＣ８及び１系ＰＬＬ  ＩＣ１８のカウンタ設定タイミングを一定に保とうとしたとしても、ＰＬＬ  ＩＣ内部のカウンタ開始動作にばらつきがあるため、これによってＶＣＯ出力の位相差を制御する事は難しい。
本発明では基準周波数発振信号の分周タイミングを制御することで位相制御を行い、各ＶＣＯ出力間の干渉による位相ノイズ劣化の回避を可能とする。
【００６４】
図２〜図９を用いて詳述する。
図６は、図１に示した無線受信機における干渉時の位相比較器の動作図であり、図７は、図１に示した無線受信機における非干渉時の位相比較器の動作図である。図８は、図１に示した無線受信機における干渉時のスペクトラム波形を示す図であり、図９は、図１に示した無線受信機における非干渉時のスペクトラム波形を示す図である。図８、９において横軸は周波数を示し、縦軸は信号強度を示す。
干渉系を０系シンセサイザ部５とし、被干渉系を１系シンセサイザ部１５とすると、０系ＶＣＯ６の出力は前述の通り０系ＰＬＬ ＩＣ８の基準周波数発振信号入力端子に０系ＶＣＯリーク信号Ｓ９として現れる。０系ＶＣＯリーク信号Ｓ９は伝送線路を伝わり１系ＰＬＬ ＩＣ１８の内部に侵入し、図６のように１系Ｎ分周器４１にて分周されて出力に現れる。
【００６５】
この時、前述の０系ＶＣＯリーク信号Ｓ９を分周した出力信号は、１系Ｎ分周信号Ｓ１４と比べてレベルが低い場合でも、位相差が０°に近い状態、つまり大元の各ＶＣＯ出力の位相差が小さい場合という事になるが、この状態で位相比較器４２にて位相比較を行うと、０系ＶＣＯリーク信号Ｓ９は、１系ＶＣＯ１６の出力Ｓ１８のジッタとして見えてしまい、その状態で１系ＶＣＯ制御電圧信号Ｓ１３を出力し１系ＶＣＯ１６を制御すると、図８のように１系局部発振信号Ｓ１１は変調がかかったような波形になってしまう。
【００６６】
もしここで、０系Ｎ分周信号Ｓ４と１系Ｎ分周信号Ｓ１４との位相差が大きく、１８０°あったとすれば、図７のように位相差が大きいため、１系位相比較器４２内での比較動作時に１系比較周波数信号Ｓ１５との時間的な差があるためジッタ成分として重畳されない上に、所望のパルスである１系Ｎ分周信号Ｓ１４は０系ＶＣＯリーク信号Ｓ９を分周した信号に対しレベルが小さく分周すべきパルスとして認識しないため誤作動せず、その状態でＶＣＯ制御電圧を出力して１系ＶＣＯ１６を制御しても位相ノイズを劣化させる要因はないため、図９のように１系局部発振信号Ｓ１１は通常のＶＣＯ出力波形を得る事ができる。
【００６７】
そこで干渉が生じていると判断した時に限り、０系ＶＣＯ分周周波数Ｓ５と１系ＶＣＯ分周周波数Ｓ１５との位相を１８０°に設定するため、基準周波数信号Ｓ７をクロックとしこのタイミングでスイッチ回路９のスイッチを１クロック分だけＯＦＦする。これにより図４のように０系基準周波数信号Ｓ６は前述の１クロック分だけクロックがＯＦＦされることになり、立ち上がりエッジを検出して分周動作をしている０系Ｒ分周器３３は、分周のためのカウントが１クロック分ずれる。
【００６８】
よって０系比較周波数信号Ｓ５の位相が基準周波数信号の１クロック分だけずれる。これを繰り返す事で０系ＶＣＯ分周周波数Ｓ５と１系ＶＣＯ分周周波数Ｓ１５との位相が１８０°となり、１系位相比較器４２にて０系ＶＣＯ分周周波数Ｓ５がジッタとして影響しなくなるため、１系局部発振信号Ｓ１１の位相ノイズ劣化は解消される。
【００６９】
〔効  果〕
第１の効果は、ダイバーシチ構成の受信機のシンセサイザ部において、一方の受信機におけるシンセサイザ部のＶＣＯ出力が、他方の受信機のシンセサイザ部に回りこんだ場合でも、位相比較器でジッタとして影響せず、位相ノイズの劣化が生じない局部発振信号を生成できる。
【００７０】
第２の効果は、ダイバーシチ構成の受信機の各シンセサイザ部において、ＶＣＯ内蔵ＰＬＬモジュールＩＣのような内部のＶＣＯ部とＰＬＬ 部とのアイソレーション量が確保できないデバイスを使用できる。
【００７１】
なお、上述した実施例は、本発明の好適な実施例の一例を示すものであり、本発明はそれに限定されることなく、その要旨を逸脱しない範囲内において、種々変形実施が可能である。
例えば、上記実施例ではＷＣＤＭＡ方式の無線信号を受信する無線受信機の場合で説明したが、本発明はこれに限定されるものではなく、他の方式の無線信号を受信するようにしてもよく、無線送信機、若しくは無線送受信機に適用してもよい。
すなわち、無線送信機を図１０に示すように構成してもよい。
図１０は、本発明に係る無線送信機の一実施例を示すブロック図である。
図１０に示した無線送信機と図１に示した無線受信機との相違点は、図１の０系受信部３及び１系送信部１３をそれぞれ０系送信部１０３及び１系送信部１１３に変更した点である。
つまり、図１に示した無線送信機１００は、無線受信機側でダイバーシチゲインを得るため、０系送信機１０２及び１系送信信機１１２の２系統の送信機から構成されており、それぞれの送信機１０２、１１２には０系希望波を送信する０系送信部１０３及び０系シンセサイザ部１０５、１系希望波を送信する１系受信部１１３及び１系シンセサイザ部１１５を備えている。
【００７２】
また０系送信部１０３は、０系シンセサイザ部１０５からの局部発振信号を用いて希望波周波数を中間周波数に変換する０系変調器１０４、１系送信部１１３は、１系シンセサイザ部１１５からの局部発振信号を用いて希望波周波数を中間周波数に変調する１系変調器１１４を備え、０系シンセサイザ部１０５は０系局部発振周波数を出力するために０系ＶＣＯ１０６と、０系ループフィルタ１０７と、０系ＰＬＬ ＩＣ１０８とで構成されており、１系シンセサイザ部１１５は１系局部発振周波数を出力するために１系ＶＣＯ１１６と、１系ループフィルタ１１７と、１系ＰＬＬ ＩＣ１１８とで構成されている。
【００７３】
さらにダイバーシチ送信機１００は各系の受信機に基準周波数信号を供給するための基準周波数信号発振部１１９と、０系送信機１０２に対して基準周波数信号発振部１１９からの０系基準周波数信号Ｓ１０６をオンオフする回路であるスイッチ回路１０９と、０系ＰＬＬ ＩＣ１０８及び１系ＰＬＬ ＩＣ１１８の内部で０系基準周波数信号Ｓ１０６及び１系基準周波数信号Ｓ１１６を比較周波数に分周した０系比較周波数信号Ｓ１０５、１系比較周波数信号Ｓ１１５を入力とし、比較処理する０／１位相比較部１１０を備えている。
【００７４】
図１０に示した無線送信機１００の０系シンセサイザ部１０５、１系シンセサイザ部１１５、０／１位相比較部１００、スイッチ回路１０９、及び基準信号発振部１１９については、図１に示した無線受信機１と同様のため説明を省略する。
【００７５】
また、無線送受信機については、図１に示した無線受信機１と図１０に示した無線送信機１００とを組み合わせることにより実現することができる。尚、この場合、無線受信機１と無線送信機１００とが同一の周波数を用いるときは送信と受信とを交互に行うようにする必要があり、アンテナについても２本のアンテナを共用することが好ましい。送信と受信とを交互に行う必要はないが無線受信機１と無線送信機１００とが異なる周波数を用いるときは４本のアンテナが必要となる。
【産業上の利用可能性】
【００７６】
本発明は、携帯電話、トランシーバー、ステレオコンポーネント、トランスミッターに利用することができる。
【図面の簡単な説明】
【００７７】
【図１】本発明に係る無線受信機の一実施例であるＷＣＤＭＡ方式の無線信号を受信するための無線基地局（図示せず）に実装されるダイバーシチ受信機のブロック図の一例である。
【図２】本発明に係る無線受信機に用いられるシンセサイザ部の構成図の一例である。
【図３】図１に示した無線受信機における干渉時の各ＰＬＬ出力クロックの位相差を示す図である。
【図４】図１に示した無線受信機における干渉時にスイッチ回路を一度動作させた時の各ＰＬＬ出力クロックの位相差を示す図である。
【図５】図１に示した無線受信機における非干渉時の各ＰＬＬ出力クロックの位相差を示す図である。
【図６】図１に示した無線受信機における干渉時の位相比較器の動作図である。
【図７】図１に示した無線受信機における非干渉時の位相比較器の動作図である。
【図８】図１に示した無線受信機における干渉時のスペクトラム波形を示す図である。
【図９】図１に示した無線受信機における非干渉時のスペクトラム波形を示す図である。
【図１０】本発明に係る無線送信機の一実施例を示すブロック図である。
【図１１】従来の無線受信機のブロック図の一例である。
【符号の説明】
【００７８】
１    ダイバーシチ受信機（無線受信機）
２、１２    受信機
３    ０系受信部
４、１４    ミキサ
５    ０系シンセサイザ部
７、１７    ループフィルタ
８、１８    ＰＬＬ  ＩＣ
９    ＳＷ（スイッチ回路）
１０    ０／１位相比較器
１９    基準信号発振部
【図１】
2008236519.tif 000003
【図２】
2008236519.tif 000004
【図３】
2008236519.tif 000005
【図４】
2008236519.tif 000006
【図５】
2008236519.tif 000007
【図６】
2008236519.tif 000008
【図７】
2008236519.tif 000009
【図８】
2008236519.tif 000010
【図９】
2008236519.tif 000011
【図１０】
2008236519.tif 000012
【図１１】
2008236519.tif 000013